【事件の表示】
　特願２０１３−　３７８４２号「遊技台」拒絶査定不服審判事件〔平成２６年　９月　８日出願公開、特開２０１４−１６１６５５号〕について、次のとおり審決する。
【結　論】
　本件審判の請求は、成り立たない。
【理　由】
第１　手続の経緯
　本願は，平成２５年２月２７日の出願であって，平成２６年５月２６日付けで拒絶の理由が通知（いわゆる「最後の拒絶理由通知」）され，同年６月１７日付けで手続補正がなされると共に意見書が提出され，同年８月８日付けで同年６月１７日付けの手続補正が却下されると共に拒絶査定がなされ，これに対して，同年９月１７日に拒絶査定不服審判の請求がなされるとともに手続補正がなされ，当審において平成２８年３月１７日付けで拒絶の理由を通知し，これに対し同年５月２０日付けで手続補正がなされると共に意見書が提出され，当審において同年７月１３日付けの拒絶の理由を通知（いわゆる「最後の拒絶理由通知」）し，これに対し同年９月６日付けで手続補正がなされると共に意見書が提出されたものである。 
第２　平成２８年９月６日付けの手続補正についての補正却下の決定 
［補正却下の決定の結論］ 
　平成２８年９月６日付けの手続補正（以下「本件補正」という。）を却下する。 
　
［理由］ 
１　補正の内容  
　本件補正は，特許請求の範囲の請求項１〜８の記載を含む補正であり，平成２８年５月２０日付けの手続補正と本件補正の特許請求の範囲の請求項１の記載はそれぞれ，以下のとおりである（下線部は，補正箇所を示す。）。
（補正前：平成２８年５月２０日付け手続補正）
「【請求項１】
　複数の表示手段を備えた遊技台であって，
　前記複数の表示手段のうちの一つは，第一の表示手段であり，
　前記複数の表示手段のうちの一つは，第二の表示手段であり，
　前記第一の表示手段は，第一の液晶ディスプレイであり，
　前記第二の表示手段は，第二の液晶ディスプレイであり，
　前記第一の液晶ディスプレイと前記第二の液晶ディスプレイでは該第二の液晶ディスプレイの方が小さく，
　前記第一の表示手段は，第一の表示を表示可能な手段であり，
　前記第二の表示手段は，第二の表示を表示可能な手段であり，
　前記第一の表示は，予告であり，
　前記第二の表示は，予告であり，
　前記第一の表示は，第一の大きさのある絵柄の表示であり，
　前記第二の表示は，第二の大きさの前記ある絵柄の表示であり，
　前記第二の大きさは，前記第一の大きさよりも大きい，
ことを特徴とする遊技台。」
　
（補正後：平成２８年９月６日付け手続補正）
「【請求項１】
　複数の表示手段を備えた遊技台であって，
　
前記遊技台は，ぱちんこ機であり，
　前記複数の表示手段のうちの一つは，第一の表示手段であり，
　前記複数の表示手段のうちの一つは，第二の表示手段であり，
　前記第一の表示手段は，第一の液晶ディスプレイであり，
　前記第二の表示手段は，第二の液晶ディスプレイであり，
　前記第一の液晶ディスプレイと前記第二の液晶ディスプレイでは該第二の液晶ディスプレイの方が小さく，
　
前記第一の表示手段は，装飾図柄変動表示を表示可能な表示手段であり，
　前記第一の表示手段は，第一の表示を表示可能な手段であり，
　前記第二の表示手段は，第二の表示を表示可能な手段であり，
　前記第一の表示は，予告であり，
　前記第二の表示は，予告であり，
　前記第一の表示は，第一の大きさのある絵柄の表示であり，
　前記第二の表示は，第二の大きさの前記ある絵柄の表示であり，
　
前記ある絵柄とは，装飾図柄のことであり，
　前記第二の大きさは，前記第一の大きさよりも大きい，
ことを特徴とする遊技台。」
　
２　補正の適否
（１）本件補正
　本件補正は，特許請求の範囲の請求項１について，以下に挙げる補正事項を含むものである。
　
ア　補正前の請求項１における「複数の表示手段を備えた遊技台であって，前記複数の表示手段のうちの一つは，」という記載を，
「複数の表示手段を備えた遊技台であって，
前記遊技台は，ぱちんこ機であり，
　
イ　補正前の請求項１における「前記第一の液晶ディスプレイと前記第二の液晶ディスプレイでは該第二の液晶ディスプレイの方が小さく，前記第一の表示手段は，」という記載を，
「前記第一の液晶ディスプレイと前記第二の液晶ディスプレイでは該第二の液晶ディスプレイの方が小さく，
前記第一の表示手段は，装飾図柄変動表示を表示可能な表示手段であり，
ウ　補正前の請求項１における「前記第二の表示は，第二の大きさの前記ある絵柄の表示であり，前記第二の大きさは，」という記載を，
「前記第二の表示は，第二の大きさの前記ある絵柄の表示であり，
前記ある絵柄とは，装飾図柄のことであり，
　
（２）補正の目的等についての検討 
ア　補正事項アについて
　補正事項アは，「遊技台」に関する構成を具体的に限定する補正であり，かつ，産業上の利用分野及び解決しようとする課題が同一であるので，特許法第１７条の２第５項第２号に規定する特許請求の範囲の減縮を目的とするものに該当する。
　
イ　補正事項イについて
　補正事項イは，「第一の表示手段」に関する構成を具体的に限定する補正であり，かつ，産業上の利用分野及び解決しようとする課題が同一であるので，特許法第１７条の２第５項第２号に規定する特許請求の範囲の減縮を目的とするものに該当する。
ウ　補正事項ウについて
　補正事項ウは，「ある絵柄」に関する構成を具体的に限定する補正であり，かつ，産業上の利用分野及び解決しようとする課題が同一であるので，特許法第１７条の２第５項第２号に規定する特許請求の範囲の減縮を目的とするものに該当する。
　そして，本件補正は新規事項を追加するものではない。
　
３　独立特許要件について
　本件補正後の請求項１に記載された発明（以下「本願補正発明」という。）が，特許出願の際独立して特許を受けることができるものであるか（特許法第１７条の２第６項において準用する同法第１２６条第７項の規定に適合するか）について以下に検討する。
（１）本件補正後の請求項１に係る発明
　補正後の請求項１に係る発明（以下，「本願補正発明」という。）は，上記１の「補正の内容」において示したとおりのものである（Ａ〜Ｅは，本願補正発明を分説するために当審で付与した。）。
「【請求項１】
Ａ　複数の表示手段を備えた遊技台であって，
　　前記遊技台は，ぱちんこ機であり，
　　前記複数の表示手段のうちの一つは，第一の表示手段であり，
　　前記複数の表示手段のうちの一つは，第二の表示手段であり，
　　前記第一の表示手段は，第一の液晶ディスプレイであり，
　　前記第二の表示手段は，第二の液晶ディスプレイであり，
Ｂ　前記第一の液晶ディスプレイと前記第二の液晶ディスプレイでは該第二の液晶ディスプレイの方が小さく，
Ｃ　前記第一の表示手段は，装飾図柄変動表示を表示可能な表示手段であり，
Ｄ　前記第一の表示手段は，第一の表示を表示可能な手段であり，
　　前記第二の表示手段は，第二の表示を表示可能な手段であり，
　　前記第一の表示は，予告であり，
　　前記第二の表示は，予告であり，
　　前記第一の表示は，第一の大きさのある絵柄の表示であり，
　　前記第二の表示は，第二の大きさの前記ある絵柄の表示であり，
　　前記ある絵柄とは，装飾図柄のことであり，
Ｅ　前記第二の大きさは，前記第一の大きさよりも大きい，
　　ことを特徴とする遊技台。」
（２）刊行物に記載された事項
（２−１）刊行物１
　本願の出願前に頒布された刊行物である特開２０１２−５６９３号公報（以下，「刊行物１」という。）には，図面とともに以下の事項が記載されている（下線は当審で付した。以下同じ。）。
（１−ア）「【０００４】
　この遊技機によれば，リーチ状態となった場合には，メイン表示器の片隅に演出図柄を小さく表示して，
メイン表示器の演出図柄とサブ表示器の演出図柄とを同期して変動
（１−イ）「【００４７】
〔パチンコ機の各部品の配置関係〕
　次に，パチンコ機１の各部品の配置関係について説明する。
　図５は，パチンコ機１の分解斜視図である。
　図５に示されるように，本実施形態に係る
パチンコ機１は
第１液晶表示器４２−１
第２液晶表示器４２−２
を備え
（１−ウ）「【００５７】
〔第２液晶表示器（連動情報表示手段）〕
　第２液晶表示器４２−２は，演出ユニット４０の装飾部品４０ｃにはめ込むように配置され，その表示画面４２−２ａが，ガラス枠ユニット４のガラスユニット（ガラス面）を通じて遊技者に視認可能に配置されている。
第２液晶表示器４２−２は，第１液晶表示器４２−１よりも小さい
（１−エ）「【０４３６】
〔変動表示演出開始〕
　図５３中（Ａ）：
第１液晶表示器４２−１の画面上で左演出図柄，中演出図柄，右演出図柄の
変動表示
が
され
・・・
【０４３８】
〔リーチ状態の発生〕
　
図５３
（Ｃ）
左演出図柄及び右演出図柄が揃い
「７」−「変動中」−「７」のリーチ状態が発生し
・・・
【０４４０】
〔リーチ演出の進行〕
　
図５４
（Ｅ）
第２液晶表示器４２−２が第１液晶表示器４２−１の
中央付近までスライドし，
【０４４１】
〔リーチ演出の終了〕
　
図５４
（Ｆ）
内部抽選の結果が当選に該当していれば，第２液晶表示器４２−２に「７」の図柄が表示され
【０４４２】
〔結果表示演出〕
　
図５４
（Ｇ）
リーチ演出が終了すると，第２液晶表示器４２−２は，
右方向にスライドして元の位置に戻る
「７」を表す演出図柄が，第１液晶表示器４２−１の
中央に停止表示され
（１−オ）「【０４５９】
〔リーチ発生前予告演出〕
　図６２中（Ｄ）：
第１液晶表示器４２−１では，左演出図柄
「５」
が表示され
【０４６０】
〔第２液晶表示器反転演出〕
　図６２中（Ｅ）：そして，第２液晶表示器４２−２が反転し，
第２液晶表示器４２−２の裏面の表示画面に「５」の図柄が表示
（１−カ）上記（１−エ）の段落【０４３６】，【０４３８】，【０４４１】の記載を参酌すると，図５４（Ｆ）には，
第２液晶表示器４２−２に表示される「７」の図柄の大きさは，第１液晶表示器４２−１の左演出図柄及び右演出図柄の「７」よりも大きい
（１−キ）上記（１−オ）の段落【０４５９】〜【０４６０】の記載を参酌すると，図６２（Ｅ）には，
第１液晶表示器４２−１の左演出図柄である「５」と同じ図柄が，第２液晶表示器４２−２に表示されている
　上記（１−ア）〜（１−オ）の記載事項，上記（１−カ）〜（１−キ）の認定事項から，刊行物１には次の発明（以下，「引用発明」という。）が記載されていると認められる（ａ〜ｅは，本願補正発明のＡ〜Ｅに対応させて当審で付与した。）。
「ａ  第１液晶表示器４２−１，第２液晶表示器４２−２を備えたパチンコ機１であって（段落【００４７】），
ｂ　第２液晶表示器４２−２は，第１液晶表示器４２−１よりも小さく（段落【００５７】），
ｃ　第１液晶表示器４２−１の画面上で左演出図柄，中演出図柄，右演出図柄の変動表示がされ（段落【０４３６】），
ｄ　第１液晶表示器４２−１の画面上で左演出図柄及び右演出図柄が揃う「７」−「変動中」−「７」のリーチ状態が発生し（図５３（Ｃ）），第２液晶表示器４２−２が第１液晶表示器４２−１の中央付近までスライドし（図５４（Ｅ）），内部抽選の結果が当選に該当していれば，第２液晶表示器４２−２に「７」の図柄が表示され（図５４（Ｆ）），リーチ演出が終了すると，第２液晶表示器４２−２は，右方向にスライドして元の位置に戻り，「７」を表す演出図柄が，第１液晶表示器４２−１の中央に停止表示され（図５４（Ｇ））（段落【０４３６】，【０４３８】，【０４４０】〜【０４４２】），
ｅ　第２液晶表示器４２−２に表示される「７」の図柄の大きさは，第１液晶表示器４２−１の左演出図柄及び右演出図柄の「７」よりも大きい（認定事項（カ）），
パチンコ機１。」
（３）対比
　本願補正発明と引用発明とを，分説に従って対比する。
　
（ａ）引用発明の「第１液晶表示器４２−１」は，本願補正発明の「表示手段」，「第一の表示手段」及び「第一の液晶ディスプレイ」に相当する。
　引用発明の「第２液晶表示器４２−２」は，本願補正発明の「表示手段」，「第二の表示手段」及び「第二の液晶ディスプレイ」に相当する。
　引用発明の「パチンコ機１」は，本願補正発明の「遊技台」及び「ぱちんこ機」に相当する。
　これらのことから，引用発明の「第１液晶表示器４２−１，第２液晶表示器４２−２を備えたパチンコ機１であって」は，本願補正発明の「複数の表示手段を備えた遊技台であって，前記遊技台は，ぱちんこ機であり，前記複数の表示手段のうちの一つは，第一の表示手段であり，前記複数の表示手段のうちの一つは，第二の表示手段であり，前記第一の表示手段は，第一の液晶ディスプレイであり，前記第二の表示手段は，第二の液晶ディスプレイであり」に相当する。
　
（ｂ）引用発明の「第２液晶表示器４２−２は，第１液晶表示器４２−１よりも小さく」は，本願補正発明の「前記第一の液晶ディスプレイと前記第二の液晶ディスプレイでは該第二の液晶ディスプレイの方が小さく」に相当する。
（ｃ）引用発明の「左演出図柄，中演出図柄，右演出図柄」は，本願補正発明の「装飾図柄」に相当する。
　このことから，引用発明の「第１液晶表示器４２−１の画面上で左演出図柄，中演出図柄，右演出図柄の変動表示がされ」は，本願補正発明の「前記第一の表示手段は，装飾図柄変動表示を表示可能な表示手段であり」に相当する。
　
（ｄ）引用発明の「第１液晶表示器４２−１の画面上で左演出図柄及び右演出図柄が揃う「７」−「変動中」−「７」のリーチ状態」の表示，及び「第２液晶表示器４２−２に「７」の図柄が表示」は，それぞれ，本願補正発明の「第一の表示」，及び「第二の表示」に相当すると共に，これらの表示は，共に「「７」を表す演出図柄が第１液晶表示器４２−１の中央に停止表示され」る前のリーチ演出に関する表示であり，大当たりの可能性があることを予告する表示であるといえるから，本願補正発明の「予告」に相当するといえる。
　そして，引用発明の「第１液晶表示器４２−１の画面上で左演出図柄及び右演出図柄が揃う「７」−「変動中」−「７」のリーチ状態」の表示における「７」の演出図柄，及び「第２液晶表示器４２−２に「７」の図柄が表示」されたときの「７」の図柄は，共に図柄であるから，本願補正発明の「絵柄」に相当するといえると共に，「第一の大きさ」及び「第二の大きさ」に相当する構成を有していることは明らかである。また，本件補正の特許請求の範囲の請求項２に「前記ある絵柄は，数字の絵柄を含む絵柄である」と記載されていることからも，上記「７」の演出図柄及び上記「７」の図柄が，本願補正発明の「絵柄」に相当するといえる。
　しかしながら，引用発明の「第１液晶表示器４２−１」に表示されるのは「７」の演出図柄であり，本願補正発明の「装飾図柄」に相当するが，引用発明の「第２液晶表示器４２−２」に表示される「７」の図柄が，本願補正発明の「装飾図柄」に相当するか不明である。
　以上のことから，引用発明の「第１液晶表示器４２−１の画面上で左演出図柄及び右演出図柄が揃う「７」−「変動中」−「７」のリーチ状態が発生し（図５３（Ｃ）），第２液晶表示器４２−２が第１液晶表示器４２−１の中央付近までスライドし（図５４（Ｅ）），内部抽選の結果が当選に該当していれば，第２液晶表示器４２−２に「７」の図柄が表示され（図５４（Ｆ）），リーチ演出が終了すると，第２液晶表示器４２−２は，右方向にスライドして元の位置に戻り，「７」を表す演出図柄が，第１液晶表示器４２−１の中央に停止表示され（図５４（Ｇ））」は，本願補正発明と「前記第一の表示手段は，第一の表示を表示可能な手段であり，前記第二の表示手段は，第二の表示を表示可能な手段であり，前記第一の表示は，予告であり，前記第二の表示は，予告であり，前記第一の表示は，第一の大きさのある絵柄の表示であり，前記第二の表示は，第二の大きさの」「ある絵柄の表示であり」，前記第一の表示における「前記ある絵柄とは，装飾図柄のことであ」る点で共通している。
　
（ｅ）引用発明の「第２液晶表示器４２−２に表示される「７」の図柄の大きさは，第１液晶表示器４２−１の左右演出図柄の「７」よりも大きい」は，本願補正発明の「前記第二の大きさは，前記第一の大きさよりも大きい」に相当する。
　上記（ａ）〜（ｅ）から，本願補正発明と引用発明とは，
［一致点］
「Ａ　複数の表示手段を備えた遊技台であって，
　　前記遊技台は，ぱちんこ機であり，
　　前記複数の表示手段のうちの一つは，第一の表示手段であり，
　　前記複数の表示手段のうちの一つは，第二の表示手段であり，
　　前記第一の表示手段は，第一の液晶ディスプレイであり，
　　前記第二の表示手段は，第二の液晶ディスプレイであり，
Ｂ　前記第一の液晶ディスプレイと前記第二の液晶ディスプレイでは該第二の液晶ディスプレイの方が小さく，
Ｃ　前記第一の表示手段は，装飾図柄変動表示を表示可能な表示手段であり，
Ｄ’前記第一の表示手段は，第一の表示を表示可能な手段であり，
　　前記第二の表示手段は，第二の表示を表示可能な手段であり，
　　前記第一の表示は，予告であり，
　　前記第二の表示は，予告であり，
　　前記第一の表示は，第一の大きさのある絵柄の表示であり，
　　前記第二の表示は，第二の大きさのある絵柄の表示であり，
　　前記第一の表示における前記ある絵柄とは，装飾図柄のことであり，
Ｅ　前記第二の大きさは，前記第一の大きさよりも大きい，
　　ことを特徴とする遊技台。」
である点で一致し，以下の点で相違する。
［相違点］
　第一の大きさの前記第一の表示，第二の大きさの前記第二の表示に関して，
　本願補正発明は，「前記第一の表示は」，「ある絵柄の表示であり，前記第二の表示は」，「前記ある絵柄の表示であり，前記ある絵柄とは，装飾図柄のことであ」るのに対して，
　引用発明は，「第１液晶表示器４２−１の画面上で左演出図柄及び右演出図柄が揃う「７」−「変動中」−「７」のリーチ状態」の表示（第一の表示）における「７」の演出図柄は，演出図柄（装飾図柄）であるが，「第２液晶表示器４２−２に「７」の図柄が表示」（第二の表示）されたときの「７」の図柄は，演出図柄（装飾図柄）であるか不明であるため，そのような構成であるか不明である点。　　
（４）判断
　上記相違点について検討する。
ア　相違点について
　刊行物１の記載である上記（２）（２−１）の（１−ア）の段落【０００４】には「メイン表示器の演出図柄とサブ表示器の演出図柄とを同期して変動」と記載されているから，刊行物１には，メイン表示器（第一の表示手段）とサブ表示器（第二の表示手段）に演出図柄（装飾図柄）を表示させる技術が記載されているといえる。
　また，刊行物１の認定事項である上記（２）（２−１）の（１−キ）において「図６２（Ｅ）に，第１液晶表示器４２−１の左演出図柄の「５」と同じ図柄が，第２液晶表示器４２−２に表示されている点が図示されていると認定したから，刊行物１には，第１液晶表示器４２−１（第一の表示手段）と第２液晶表示器４２−２（第二の表示手段）に演出図柄（装飾図柄）を表示させる技術が図示されているといえる。
　よって，刊行物１に記載された上記第一の表示手段と第二の表示手段に装飾図柄を表示させる技術に基づいて，引用発明の「第２液晶表示器４２−２」（第二の表示手段）に表示される「７」の図柄（第二の表示）を，「第１液晶表示器４２−１」（第一の表示手段）の表示における「７」の演出図柄（第一の表示である装飾図柄）と同じ演出図柄（装飾図柄）にして，上記相違点に係る本願補正発明の構成とすることは，当業者が容易に想到したものである。
イ　請求人の主張について
　請求人は，平成２８年９月６日付けの意見書第２頁第６〜１４行において，「本願請求項１に係る発明は，「前記第一の表示手段は，第一の表示を表示可能な手段であり，前記第二の表示手段は，第二の表示を表示可能な手段であり，前記第一の表示は，予告であり，前記第二の表示は，予告であり，前記第一の表示は，第一の大きさのある絵柄の表示であり，前記第二の表示は，第二の大きさの前記ある絵柄の表示であり，前記ある絵柄とは，装飾図柄のことであり，前記第二の大きさは，前記第一の大きさよりも大きい，」という特徴的な発明特定事項を有しています。これに対し，先願（特願２０１２−２７７２０３号（特開２０１４−１１７５７６号公報））の当初明細書等には当該特徴的な発明特定事項は開示されていません。」と主張している。
　しかしながら，既に検討したように，本願補正発明は，引用発明及び刊行物１に記載された技術に基づいて当業者が容易に想到したものであるから，請求人の主張は採用することはできない。
ウ　小括
　よって，本願補正発明は，引用発明及び刊行物１に記載された技術に基づいて当業者が容易に想到したものであるから，特許法第２９条第２項の規定により，特許出願の際に独立して特許を受けることができない。
４　むすび
　以上のとおり，本件補正は，特許法第１７条の２第６項において準用する同法第１２６条第７項の規定に違反するので，同法第１５９条第１項の規定において読み替えて準用する同法第５３条第１項の規定により却下すべきものである。
　
第３　本願発明について
１　本願発明
　本件補正（平成２８年９月６日付けの手続補正）は上記第２のとおり却下されたので，本願の請求項１に係る発明（以下「本願発明」という。）は，平成２８年５月２０日付け手続補正書により補正された，上記第２　１で前述した特許請求の範囲の請求項１に記載された事項により特定される次のとおりのものである（（Ａ），（Ｂ），（Ｄ）は，本願発明を分説するために当審で付与した。）。
「【請求項１】
（Ａ）　複数の表示手段を備えた遊技台であって，
　前記複数の表示手段のうちの一つは，第一の表示手段であり，
　前記複数の表示手段のうちの一つは，第二の表示手段であり，
　前記第一の表示手段は，第一の液晶ディスプレイであり，
　前記第二の表示手段は，第二の液晶ディスプレイであり，
（Ｂ）　前記第一の液晶ディスプレイと前記第二の液晶ディスプレイでは該第二の液晶ディスプレイの方が小さく，
（Ｄ）　前記第一の表示手段は，第一の表示を表示可能な手段であり，
　前記第二の表示手段は，第二の表示を表示可能な手段であり，
　前記第一の表示は，予告であり，
　前記第二の表示は，予告であり，
　前記第一の表示は，第一の大きさのある絵柄の表示であり，
　前記第二の表示は，第二の大きさの前記ある絵柄の表示であり，
　前記第二の大きさは，前記第一の大きさよりも大きい，
　ことを特徴とする遊技台。」
　
２　先願明細書等
　当審で通知した平成２８年７月１３日付けの拒絶の理由で引用された本願の出願の日前の他の特許出願であって，その出願後に出願公開がされた特願２０１２−２７７２０３号（特開２０１４−１１７５７６号公報参照。以下「先願」という。）の願書に最初に添付した明細書，特許請求の範囲又は図面（以下「先願明細書等」という。）には，次の事項が図面とともに記載されている（下線部は当審で付与した。）。
（２−ア）「【０００７】
（１）上記目的を達成するため，本発明の遊技機は，
　遊技領域に設けられた始動領域（例えば普通入賞球装置６Ａが形成する第１始動入賞口や普通可変入賞球装置６Ｂが形成する第２始動入賞口など）を遊技媒体が通過したことに基づいて，各々を識別可能な複数種類の識別情報の可変表示を行い表示結果を導出する可変表示手段（例えば第１，第２特別図柄表示装置４Ａ，４Ｂなど）に識別情報の表示結果として予め定められた特定表示結果（例えば大当り図柄となる確定特別図柄など）が導出されたときに，遊技者にとって有利な特定遊技状態（例えば大当り遊技状態など）に制御する遊技機（例えば
パチンコ遊技機１
画像表示装置５
と
副画像表示装置５１
と
を備え
　このような構成によれば，第２表示手段において示唆演出が実行された場合，いずれの予告演出が実行されるかに遊技者が注目するようになり，遊技の興趣が向上する。」
（２−イ）「【００２３】
　画像表示装置５の右側には副画像表示装置５１が設けられている。
副画像表示装置５１は
画像表示装置５よりも小型の
（２−ウ）「【０２６１】
　上記実施の形態では，
変動中予告演出として
副画像表示装置５１（サブ液晶）と画像表示装置５（メイン液晶）
・・・
【０２６５】
　また，
図２４（Ａ）
画像表示装置５（メイン液晶）で通常図柄のリーチとなっているときに，副画像表示装置５１（サブ液晶）に桜の花びらを持ったキャラクタ画像を表示する
図２４（Ｂ）
サブ液晶がメイン液晶の前面に移動してキャラクタ画像が桜の花びらをメイン液晶の通常図柄に取り付けるような演出を実行する
図２４（Ｃ）
メイン液晶の通常図柄が特殊図柄に変化する演出を実行する
（２−エ）上記（２−ウ）の段落【０２６５】の記載を参酌すると，図２４（Ａ）〜（Ｃ）には，
画像表示装置５（メイン液晶）の通常図柄の中に，副画像表示装置５１（サブ液晶）に表示された桜の花びらよりも小さい桜の花びらを表示した特殊図柄に変化する演出を実行する（図２４（Ｃ））
　上記（２−ア）〜（２−ウ）の記載事項，上記（２−エ）の認定事項から，先願明細書等には次の発明（以下，「先願発明」という。）が記載されていると認められる（（ａ），（ｂ），（ｄ）は，本願発明の（Ａ），（Ｂ），（Ｄ）に対応させて当審で付与した。）。
「（ａ）　画像表示装置５（メイン液晶）と副画像表示装置５１（サブ液晶）とを備えたパチンコ遊技機１であって（段落【０００７】，【０２６１】），
（ｂ）　副画像表示装置５１（サブ液晶）は，画像表示装置５（メイン液晶）よりも小型であり（段落【００２３】，【０２６１】），
（ｄ）　変動中予告演出として，画像表示装置５（メイン液晶）で通常図柄のリーチとなっているときに，副画像表示装置５１（サブ液晶）に桜の花びらを持ったキャラクタ画像を表示し（図２４（Ａ）），画像表示装置５（メイン液晶）が画像表示装置５（メイン液晶）の前面に移動してキャラクタ画像が桜の花びらを画像表示装置５（メイン液晶）の通常図柄に取り付けるような演出を実行し（図２４（Ｂ）），画像表示装置５（メイン液晶）の通常図柄の中に，副画像表示装置５１（サブ液晶）に表示された桜の花びらよりも小さい桜の花びらを表示する（図２４（Ｃ））（段落【０２６１】，【０２６５】，認定事項（２−エ）），
パチンコ遊技機１」
３　対比
　本願発明と先願発明とを，分説に従って対比する。
　
（ａ）先願発明の「画像表示装置５（メイン液晶）」は，本願発明の「表示手段」，「第一の表示手段」及び「第一の液晶ディスプレイ」に相当する。
　先願発明の「副画像表示装置５１（サブ液晶）」は，本願発明の「表示手段」，「第二の表示手段」及び「第二の液晶ディスプレイ」に相当する。
　先願発明の「パチンコ遊技機１」は，本願発明の「遊技台」に相当する。
　これらのことから，先願発明の「画像表示装置５（メイン液晶）と副画像表示装置５１（サブ液晶）とを備えたパチンコ遊技機１であって」は，本願発明の「複数の表示手段を備えた遊技台であって，前記複数の表示手段のうちの一つは，第一の表示手段であり，前記複数の表示手段のうちの一つは，第二の表示手段であり，前記第一の表示手段は，第一の液晶ディスプレイであり，前記第二の表示手段は，第二の液晶ディスプレイであり」に相当する。
　
（ｂ）先願発明の「副画像表示装置５１（サブ液晶）は，画像表示装置５（メイン液晶）よりも小型であり」は，本願発明の「前記第一の液晶ディスプレイと前記第二の液晶ディスプレイでは該第二の液晶ディスプレイの方が小さく」に相当する。
（ｄ）先願発明の「画像表示装置５（メイン液晶）の通常図柄の中に，副画像表示装置５１（サブ液晶）に表示された桜の花びらよりも小さい桜の花びらを表示」，及び「副画像表示装置５１（サブ液晶）に桜の花びらを持ったキャラクタ画像を表示」の「桜の花びら」の表示は，それぞれ，本願発明の「第一の表示」，及び「第二の表示」に相当する共に，これらの「桜の花びら」の表示は，変動中予告演出としての表示であるから，本願補正発明の「予告」に相当するといえると共に，本願補正発明の「絵柄」に相当するといえる。
　また，先願発明は「画像表示装置５（メイン液晶）の通常図柄の中に，副画像表示装置５１（サブ液晶）に表示された桜の花びらよりも小さい桜の花びらを表示する」と共に，「副画像表示装置５１（サブ液晶）に桜の花びらを持ったキャラクタ画像を表示」するから，本願補正発明の「前記第一の表示は，第一の大きさのある絵柄の表示であり，前記第二の表示は，第二の大きさの前記ある絵柄の表示であり，前記第二の大きさは，前記第一の大きさよりも大きい」に相当する構成を有している。
　以上のことから，先願発明の「変動中予告演出として，画像表示装置５（メイン液晶）で通常図柄のリーチとなっているときに，副画像表示装置５１（サブ液晶）に桜の花びらを持ったキャラクタ画像を表示し（図２４（Ａ）），画像表示装置５（メイン液晶）が画像表示装置５（メイン液晶）の前面に移動してキャラクタ画像が桜の花びらを画像表示装置５（メイン液晶）の通常図柄に取り付けるような演出を実行し（図２４（Ｂ）），画像表示装置５（メイン液晶）の通常図柄の中に，副画像表示装置５１（サブ液晶）に表示された桜の花びらよりも小さい桜の花びらを表示するパチンコ遊技機１」は，本願発明の「前記第一の表示手段は，第一の表示を表示可能な手段であり，前記第二の表示手段は，第二の表示を表示可能な手段であり，前記第一の表示は，予告であり，前記第二の表示は，予告であり，前記第一の表示は，第一の大きさのある絵柄の表示であり，前記第二の表示は，第二の大きさの前記ある絵柄の表示であり，前記第二の大きさは，前記第一の大きさよりも大きい」は，本願発明の「前記第一の表示手段は，第一の表示を表示可能な手段であり，前記第二の表示手段は，第二の表示を表示可能な手段であり，前記第一の表示は，予告であり，前記第二の表示は，予告であり，前記第一の表示は，第一の大きさのある絵柄の表示であり，前記第二の表示は，第二の大きさの前記ある絵柄の表示であり，前記第二の大きさは，前記第一の大きさよりも大きい」に相当する。
　上記（ａ），（ｂ），（ｄ）から，本願発明と先願発明とは，
［一致点］
「【請求項１】
（Ａ）　複数の表示手段を備えた遊技台であって，
　前記複数の表示手段のうちの一つは，第一の表示手段であり，
　前記複数の表示手段のうちの一つは，第二の表示手段であり，
　前記第一の表示手段は，第一の液晶ディスプレイであり，
　前記第二の表示手段は，第二の液晶ディスプレイであり，
（Ｂ）　前記第一の液晶ディスプレイと前記第二の液晶ディスプレイでは該第二の液晶ディスプレイの方が小さく，
（Ｄ）　前記第一の表示手段は，第一の表示を表示可能な手段であり，
　前記第二の表示手段は，第二の表示を表示可能な手段であり，
　前記第一の表示は，予告であり，
　前記第二の表示は，予告であり，
　前記第一の表示は，第一の大きさのある絵柄の表示であり，
　前記第二の表示は，第二の大きさの前記ある絵柄の表示であり，
　前記第二の大きさは，前記第一の大きさよりも大きい，
　ことを特徴とする遊技台。」
である点で一致し，両者の間に相違点はない。
　よって，本願発明は先願発明と同一であり，しかも，本願発明の発明者が先願発明の発明者と同一ではなく，また本願の出願の時において，その出願人が上記先願の出願人と同一でもない。
　
４　むすび
　以上のとおりであるから，本願発明は，先願明細書等に記載された発明と同一であるから，特許法第２９条の２の規定により特許を受けることができない。
　したがって，その余の請求項について検討するまでもなく，本願は拒絶すべきである。 
　よって，結論のとおり審決する。